(57)【特許請求の範囲】
【請求項１】
各種の設定状態及び現在視聴している番組を記録するための記録ボタンを含む操作ボタンの一群をモニタ装置にオンスクリーン表示させるオンスクリーン画面表示制御手段と、
上記現在視聴している番組がコピー禁止信号を含むかどうかを判断する判断手段と、
赤外線コマンド発生手段と
を備える受信装置と、
モニタ装置と、
赤外線受光部を備える外部記録装置と
からなり、
上記受信装置は、ユーザが番組を視聴中に上記オンスクリーン表示された上記記録ボタンを選択したときに、上記現在視聴している番組が上記コピー禁止信号を含むかどうかを判断し、
上記現在視聴している番組が上記コピー禁止信号を含まない場合には、上記赤外線コマンド発生手段から上記外部記録装置に対して記録コマンド信号を送信することにより上記外部記録装置を記録状態に設定するとともに上記操作ボタンの一群のオンスクリーン表示を上記モニタ装置の表示から消去し、
上記現在視聴している番組が上記コピー禁止信号を含む場合には、上記モニタ装置に警告表示をオンスクリーン表示させ、上記外部記録装置に対する上記記録コマンド信号の送信を禁止する
ようにした受信システム。
【請求項２】
各種の設定状態及び現在視聴している番組を記録するための記録ボタンを含む操作ボタンの一群をオンスクリーン表示させるオンスクリーン画面表示制御手段と、
上記現在視聴している番組がコピー禁止信号を含むかどうかを判断する判断手段と、
赤外線受光部を備える外部記録装置の動作を設定するための赤外線コマンドを発生する赤外線コマンド発生手段と
を備え、
ユーザが番組を視聴中に上記オンスクリーン表示された上記記録ボタンを選択したときに、上記現在視聴している番組が上記コピー禁止信号を含むかどうかを判断し、
上記現在視聴している番組が上記コピー禁止信号を含まない場合には、上記赤外線コマンド発生手段から上記外部記録装置に対して記録コマンド信号を送信することにより上記外部記録装置を記録状態に設定するとともに上記操作ボタンの一群のオンスクリーン表示を消去し、
上記現在視聴している番組が上記コピー禁止信号を含む場合には、上記モニタ装置に警告表示をオンスクリーン表示させ、上記外部記録装置に対する上記記録コマンド信号の送信を禁止する
ようにした受信装置。
【請求項３】
各種の設定状態及び現在視聴している番組を記録するための記録ボタンを含む操作ボタンの一群をモニタ装置にオンスクリーン表示させ、
ユーザが番組を視聴中に上記オンスクリーン表示された上記記録ボタンを選択したときに、
上記現在視聴している番組がコピー禁止信号を含むかどうかを判断し、
上記現在視聴している番組が上記コピー禁止信号を含まない場合には、赤外線コマンド発生手段から外部記録装置に対して記録コマンド信号を送信することにより上記外部記録装置を記録状態に設定するとともに上記操作ボタンの一群のオンスクリーン表示を上記モニタ装置の表示から消去し、
上記現在視聴している番組が上記コピー禁止信号を含む場合には、上記モニタ装置に警告表示をオンスクリーン表示させ、上記外部記録装置に対する上記記録コマンド信号の送信を禁止する
ようにした受信システムの制御方法。
【発明の詳細な説明】
【０００１】
【発明の属する技術分野】
この発明は、ディジタル衛星放送を受信するための受信システム、受信装置、及び受信システムの制御方法に関する。
【０００２】
【従来の技術】
衛星放送チューナと、ビデオ記録／再生装置と、テレビジョン受像機とからなるシステムでは、オンスクリーン表示を見ながら、各種の操作が行える。例えば、オンスクリーン画面には、現在受信しているチャンネルや、ジャンルの情報、衛星放送チューナの各種の設定状態、接続されている機器の情報等が表示される。これらのオンスクリーン画面上の情報を見ることにより、ユーザは、現在の設定状態を確認したり、変更したりすることができる。
【０００３】
また、衛星放送チューナにＡＶマウスと呼ばれる赤外線発生装置を取り付けることにより、オンスクリーン画面を見ながら、システム全体の機器を一体的に操作することができる。これにより、例えば、オンスクリーン画面を見ながら、予約録画を行うことができる。
【０００４】
つまり、予約録画の設定を行う際には、テレビジョン受像機のオンスクリーン画面上に、設定情報や操作ボタン等が映出される。衛星放送では、ＥＰＧ（Electronics Program Guide ）により番組情報が送られており、予約録画を行うときには、このＥＰＧの画面がオンスクリーン表示される。このオンスクリーン画面を見ながら、リモートコントローラを使って録画入力が与えられる。
【０００５】
このようにＥＰＧ画面を見ながら録画設定を入力しておくと、予約時間になると、衛星放送チューナにより所望の番組の受信が開始されると共に、ＡＶマウスからビデオ記録／再生装置を録画状態に設定するための赤外線コマンド信号が出力される。この赤外線コマンド信号がビデオ記録／再生装置の受光部で受光され、ビデオ記録／再生装置が録画状態に設定される。これにより、衛星放送チューナからビデオ記録／再生装置に所望の受信番組のビデオ信号及びオーディオ信号が送られ、その番組がビデオ記録／再生装置により録画される。
【０００６】
【発明が解決しようとする課題】
ところで、番組を見ていて、その番組をその場で録画したい場合がある。そこで、上述のように、ビデオマウスを使って、テレビジョン受像機と衛星放送チューナとビデオ記録／再生装置とが一体的に操作できるようにしたシステムでは、現在見ている番組を録画するための録画ボタンをオンスクリーン画面上に設け、その録画ボタンが押されると、オンスクリーン画面を見ながら、衛星放送チューナのリモートコントローラの操作で、現在見ている番組を録画できるようにすることが望まれる。
【０００７】
ところが、ディジタル衛星放送で送られてくる番組の中には、著作権の保護を図るために、録画が禁止されているものがあり、録画禁止の番組では、ビデオ記録／再生装置で正常に記録できないように、映像信号中にコピー禁止信号（例えば、マクロビジョン）が含められている。このため、単に、録画ボタンが押されたら、ビデオ記録／再生装置が録画状態に設定されるように制御すると、録画禁止でコピー禁止信号が含められた信号がそのままビデオ記録／再生装置によりテープに記録されてしまう。この場合、ユーザは、そのテープを再生して始めて録画できないことを知ることになり、ユーザにとって使い難いものとなる。
【０００８】
したがって、この発明の目的は、オンスクリーン画面を使って他の機器を制御するような場合に、他の機器の動作が不許可なら、動作させないようにすることで、操作性を向上させるようにした受信システム、受信装置、及び受信システムの制御方法を提供することにある。
【０００９】
【課題を解決するための手段】
この発明は、各種の設定状態及び現在視聴している番組を記録するための記録ボタンを含む操作ボタンの一群をモニタ装置にオンスクリーン表示させるオンスクリーン画面表示制御手段と、現在視聴している番組がコピー禁止信号を含むかどうかを判断する判断手段と、赤外線コマンド発生手段とを備える受信装置と、モニタ装置と、赤外線受光部を備える外部記録装置とからなり、受信装置は、ユーザが番組を視聴中にオンスクリーン表示された記録ボタンを選択したときに、現在視聴している番組がコピー禁止信号を含むかどうかを判断し、現在視聴している番組がコピー禁止信号を含まない場合には、赤外線コマンド発生手段から外部記録装置に対して記録コマンド信号を送信することにより外部記録装置を記録状態に設定するとともに操作ボタンの一群のオンスクリーン表示をモニタの表示から消去し、現在視聴している番組がコピー禁止信号を含む場合には、モニタ装置に警告表示をオンスクリーン表示させ、外部記録装置に対する記録コマンド信号の送信を禁止するようにした受信システムである。
【００１０】
受信番組を録画するときに、録画禁止か否かが判断され、録画禁止の場合には、警告画面が表示されると共に、外部機器の制御が禁止される。このような警告表示により、ユーザは、録画禁止の番組であるか否かを判断することができると共に、コピー禁止の制御信号を含む信号がビデオ記録／再生装置に記録されてしまうことが防止できる。また、この発明によれば、録画ボタンが押されると、そのボタンが停止ボタンとなり、そこのボタンが選択された状態になる。このため、操作性が向上される。
【００１１】
【発明の実施の形態】
以下、この発明の実施の形態について図面を参照して説明する。図１は、この発明が適用できる衛星放送システムを示すものである。図１において、１は衛星放送チューナ、２はテレビジョン受像機、３はビデオ記録／再生装置である。
【００１２】
衛星放送チューナ１は、ＣＳ（Communication Sattellite）ディジタル衛星放送の受信信号をデコードし、例えばＮＴＳＣ方式のビデオ信号及びオーディオ信号を形成するものである。衛星放送チューナ１には、ＡＶマウス４が取り付けられている。このＡＶマウス４は、赤外線コマンド信号を発生し、この赤外線コマンド信号により、他の機器、ここではビデオ記録／再生装置３を、衛星放送チューナ１で制御できるようにするものである。
【００１３】
衛星放送チューナ１のアンテナ端子は、ケーブル５を介して、パラボラアンテナ６に取り付けられている低雑音コンバータ７に接続される。また、衛星放送チューナ１とテレビジョン受像機２とがケーブル８を介して接続される。更に、衛星放送チューナ１とビデオ記録／再生装置３とがケーブル９を介して接続される。
【００１４】
衛星からの電波は、例えば、１２ＧＨｚ帯で送信されてくる。この衛星からの電波は、パラボラアンテナ６で受信され、パラボラアンテナ６に取り付けられた低雑音コンバータ７で、例えば、１ＧＨｚ帯の信号に変換される。低雑音コンバータ７の出力がケーブル５を介して衛星放送チューナ１のアンテナ端子に供給される。
【００１５】
衛星放送チューナ１で、受信信号の中から所望の搬送波の信号が選択され、ＭＰＥＧ（Moving Picture Coding Expert Group）２のトランスポートストリームが復調される。このトランスポートストリームの中から、所望のプログラムの映像パケット及び音声パケットが抽出され、この映像パケット及び音声パケットのデコード処理が行なわれ、例えばＮＴＳＣ方式のビデオ信号及びオーディオ信号がデコードされる。
【００１６】
衛星放送チューナ１からのビデオ信号及びオーディオ信号は、ケーブル８を介して、テレビジョン受像機２に供給される。テレビジョン受像機２により、所望のプログラムの受信画面が映出されるとともに、その音声が出力される。
【００１７】
また、衛星放送の録画を行うときには、ビデオ記録／再生装置３が録画状態に設定され、衛星放送チューナ１からのビデオ信号及びオーディオ信号がケーブル９を介してビデオ記録／再生装置３に供給される。ビデオ記録／再生装置３により、テープ等の記録媒体に、所望の番組のビデオ信号及びオーディオ信号が記録される。ビデオ記録／再生装置３を再生状態に設定すると、ビデオ記録／再生装置３に装着されている記録媒体からビデオ信号及びオーディオ信号が再生され、このビデオ信号及びオーディオ信号がケーブル９を介して衛星放送チューナ１に送られ、ケーブル８を介して、テレビジョン受像機２に供給され、テレビジョン受像機２により、その再生画面が映出されるとともに、その音声が出力される。
【００１８】
衛星放送チューナ１の操作は、リモートコントローラ１０により行える。各種の設定は、テレビジョン受像機２の画面上のオンスクリーン表示により行える。
また、衛星放送チューナ１にＡＶマウス４を取り付けることにより、リモートコントローラ１０の操作により、ビデオ記録／再生装置３の動作を設定することができる。
【００１９】
図２は、衛星放送チューナ１の構成を示すものである。図２において、例えば１２ＧＨｚ帯の電波で衛星を介して送られてくるディジタル衛星放送の電波は、パラボラアンテナ６で受信され、パラボラアンテナ６に取り付けられた低雑音コンバータ７で、１ＧＨｚ帯の信号に変換される。この低雑音コンバータ７の出力がケーブル５を介して衛星放送チューナ１のアンテナ端子２１に供給される。
【００２０】
アンテナ端子２１からの信号は、チューナ回路２２に供給される。チューナ回路２２により、受信信号の中から所定の搬送波周波数の信号が選択され、この信号が中間周波信号に変換される。チューナ回路２２には、コントローラ２０から周波数設定用の制御信号が供給される。この制御信号に基づいて、受信周波数が設定される。
【００２１】
チューナ回路２２の出力が復調回路２３に供給される。復調回路２３により、ＱＰＳＫ（Quadrature Phase Shift Keying ）の復調処理が行われる。復調回路２３の出力がエラー訂正回路２４に供給される。エラー訂正回路２４より、エラー訂正処理が行われる。
【００２２】
エラー訂正回路２４の出力がデスクランブラ２５に供給される。デスクランブラ２５には、受信されたＥＣＭ（Entitlement Control Message ）データ及びＥＭＭ（Entitlement Management Message）データが供給されると共に、ＩＣカードスロット２６に装着されているＩＣカード２７に記憶されているデスクランブル用の鍵データが供給される。また、このＥＣＭやＥＭＭのデータにより、録画可能な番組かどうかが判断できる。
【００２３】
デスクランブラ２５は、この受信されたＥＣＭデータ及びＥＭＭデータと、ＩＣカード２７の鍵データを用いて、ＭＰＥＧトランスポートストリームのデスクランブルを行なう。また、ＥＣＭデータ及びＥＭＭデータによりコピー禁止かどうかが判断できる。デスクランブルされたＭＰＥＧ２のトランスポートストリームは、デマルチプレクサ２８に送られる。
【００２４】
デマルチプレクサ２８は、コントローラ２０からの指令に基づいて、デスクランブラ２５からのストリームの中から、所望のパケットを分離するものである。
伝送パケットには、ヘッダ部にパケット識別子（ＰＩＤ）が記述されている。デマルチプレクサ２８では、このＰＩＤに基づいて、所望のプログラムの映像パケット及び音声パケットが抽出される。この所望のプログラムの映像パケットは、ビデオ処理回路２９に送られ、音声パケットは、オーディオ処理回路３０に送られる。ＰＳＩ（Program Specific Information）は、コントローラ２０に送られる。
【００２５】
ビデオ処理回路２９は、デマルチプレクサ２８からの映像信号のパケットを受け取り、ＭＰＥＧ２方式のデコード処理を行なって、ビデオデータを形成する。
このビデオデータは、ＮＴＳＣエンコーダ３１に供給される。ＮＴＳＣ変換回路３１で、ビデオ処理回路２９でデコードされたビデオデータがＮＴＳＣ方式のビデオ信号に変換される。
【００２６】
また、ＮＴＳＣエンコーダ３１に対して、表示制御回路３２と、コピー禁止制御回路３３が設けられる。表示制御回路３２は、コントローラ２０からの制御信号に基づいて、種々のオンスクリーン画面を形成するものである。コピー禁止制御回路３３は、ＰＳＩのＥＭＭ／ＥＣＭ情報に基づいて、映像の著作権を保護するために、コピー禁止の番組の場合にはマクロビジョンのようなコピー禁止制御信号を発生するものである。ＮＴＳＣ変換回路３１の出力がビデオ出力端子３４に供給される。ビデオ出力端子３４からＮＴＳＣ方式のコンポジットビデオ信号が出力される。
【００２７】
オーディオ処理回路３０は、デマルチプレクサ２８からの音声パケットを受け取り、ＭＰＥＧ方式の音声デコード処理を行なって、データ圧縮前のオーディオデータを形成する。オーディオ処理回路３０の出力は、Ｄ／Ａコンバータ３６でアナログオーディオ信号に変換された後、オーディオ出力端子３７から出力される。
【００２８】
衛星放送チューナ１を操作するための入力は、入力キー４１により行われると共に、リモートコントローラ１０により行われる。リモートコントローラ１０からの赤外線コマンド信号は、受光部４２で受光され、コントローラ２０に送られる。また、コントローラ２０には、ＡＶマウス４が取り付けられる。このＡＶマウス４により、他の機器に対して、赤外線コマンド信号が出力される。これにより、衛星放送チューナ１のリモートコントローラ１０を操作して、他の機器の制御が行える。
【００２９】
衛星放送チューナ１の設定状態は、コントローラ２０からの設定情報に基づいて、表示部４３に表示されると共に、表示制御回路３２により、テレビジョン画面上にオンスクリーン表示させることができる。また、モデム４４が設けられ、モデム４４により、課金情報が電話回線を介して送られる。
【００３０】
図３は、各種の設定を行うときのオンスクリーン画面を示すものである。この画面は、ＥＺパネルと称されている。ＥＺパネル上には、図３に示すように、ボタン５１〜６０が配列され、これがテレビジョン受像機２の画面上に重畳表示される。これらのボタン５１〜６０は、リモートコントローラ１０を操作することで、設定される。
【００３１】
すなわち、リモートコントローラ１０には、カーソルを前後左右に移動するためのジョイスティックや方向キーと、決定ボタンが設けられている。ジョイスティックや方向キーを操作すると、これに応じて、ボタン５１〜６０のうち選択されているボタンが移動していく。ボタン５１〜６０のうち選択されているボタンは明るくなったり、色が変わることにより示される。このようにジョイスティックや方向キーでボタン５１〜６０の中から所望のボタンを選択し、決定ボタン押すと、そのボタンの設定がなされる。
【００３２】
図３において、現在番組ボタン５１が設定されると、現在受信している番組に関するＥＰＧが表示される。週間番組ボタン５２が設定されると、週間番組予定を示すＥＰＧが表示される。好み一覧ボタン５３が設定されると、ユーザが設定した好み番組の一覧が表示される。予約一覧ボタン５４が設定されると、ユーザが予約した予約番組の一覧が表示される。ｉＬＩＮＫボタン５５が設定されると、インターフェースに接続されている機器の一覧が表示される。すぐ録画ボタン５６が設定されると、ビデオ記録／再生装置が録画状態に設定され、直ちに録画が開始される。すぐ録音ボタン５７が設定されると、オーディオ記録／再生装置が録音状態に設定され、直ちに録音が開始される。今いくらボタン５８が設定されると、課金情報が表示される。サウンドボタン５９が設定されると、ＰＣＭ音声サービスの設定画面が表示される。もどるボタン６０が設定されると、以前の画面に戻る。
【００３３】
このように、この例では、すぐ録画ボタン５６と、すぐ録音ボタン５７とが設けられ、すぐ録画ボタン５６が設定されると、ビデオ記録／再生装置３が録画状態に設定されて直ちに録画が開始される。また、このシステムには、ＭＤ記録／再生装置のようなオーディオ記録／再生装置を設けることができ、すぐ録音ボタン５７が設定されると、このオーディオ記録／再生装置が録音状態に設定されて直ちに録音が開始される。
【００３４】
すなわち、例えば、すぐ録画ボタン５６が押されると、ＡＶマウス４からビデオ記録／再生装置３に、ビデオ記録／再生装置３を録画状態に設定するための赤外線コマンド信号が出力される。この赤外線コマンド信号により、ビデオ記録／再生装置３が録画モードに設定される。
【００３５】
衛星放送チューナ１からは、このとき受信している放送のビデオ信号及びオーディオ信号が出力され、このビデオ信号及びオーディオ信号がケーブル９を介してビデオ記録／再生装置３に供給される。ビデオ記録／再生装置３により、受信中の番組のビデオ信号及びオーディオ信号がテープ等の記録媒体に記録される。
【００３６】
そして、すぐ録画ボタン５６又はすぐ録音ボタン５７が押されると、そのボタンが録画停止又は録音停止ボタンとなり、そのボタンが選択された状態となる。例えば、すぐ録画ボタン５６が押されると、図４に示すように、そのボタン５６が録画停止ボタン５６Ａとなり、その録画停止ボタン５６Ａが選択された状態となる。この録画停止ボタン５６Ａが押されると、ＡＶマウス４からビデオ記録／再生装置３に、ビデオ記録／再生装置３を停止状態に設定するための赤外線コマンド信号が出力される。この赤外線コマンド信号により、ビデオ記録／再生装置３での番組の録画が停止される。このように、すぐ録画ボタン５６又はすぐ録音ボタン５７が押されると、そのボタンが録画停止又は録音停止ボタンとなり、そのボタンが選択された状態となるため、操作性が向上される。
【００３７】
ところで、衛星放送の番組の中には、著作権の保護を図るために、録画禁止とされている場合がある。録画禁止の番組では、コピー禁止信号を含むビデオ信号が出力されるようになっており、このようなコピー禁止信号が含まれている場合には、ビデオ記録／再生装置３で録画された映像は正常に再生できない。
【００３８】
単に、すぐ録画ボタン５６が押されると、ＡＶマウス４からビデオ記録／再生装置３に、ビデオ記録／再生装置３を録画状態に設定するための赤外線コマンド信号が出力されるようにすると、録画禁止の番組では、コピー禁止信号が含まれているビデオ信号が記録されてしまう。この場合には、ユーザは、録画が終了した後に、その番組を再生して始めて、正常に録画できていないことを知ることになる。
【００３９】
そこで、この発明の実施の形態では、すぐ録画ボタン５６が押されたら、その番組が録画できる番組であるか否かが判断され、録画可能な番組である場合には、ＡＶマウス４からビデオ記録／再生装置３を録画モードに設定するための赤外線コマンド信号が出力されるが、録画禁止の番組場合には、図５に示すように、録画禁止である旨の警告がオンスクリーン表示され、ビデオ記録／再生装置３を録画モードに設定するための赤外線コマンド信号が出力されることを禁止するようにしている。このような警告表示により、ユーザは、録画しようとする番組が録画禁止であることがすぐに分かると共に、録画禁止の番組の場合には、ＡＶマウス４から、録画モードに設定するための赤外線コマンド信号が出力されないので、コピー禁止信号を含むビデオ信号がビデオ記録／再生装置３で記録されてしまうことが防止される。
【００４０】
図６は、上述のように、すぐ録画ボタンが押されたときに、録画記録可能である場合にはビデオ記録／再生装置３を録画モードに設定し、録画禁止の場合には、録画禁止である旨の警告をオンスクリーン表示すると共に、ビデオ記録／再生装置３を録画モードに設定することを禁止するように制御するためのフローチャートを示すものである。
【００４１】
図６において、録画中であるか否かが判断され（ステップＳ１）、録画中なら、録画停止ボタン５６Ａを含むＥＺパネル（図４）がオンスクリーン表示されて（ステップＳ２）、ステップＳ１にリターンされる。
【００４２】
録画中でなければ、すぐ録画ボタン５６を含む通常のＥＺパネル（図３）がオンスクリーン表示される（ステップＳ３）。そして、すぐ録画ボタン５６が押されて録画が開始されたか否かが判断される（ステップＳ４）。
【００４３】
録画が開始されていなければ、ステップＳ１にリターンされる。これにより、録画を行っていないときには、通常のＥＺパネル（図３）がオンスクリーン表示され、録画中には、録画停止ボタン５６Ａを含むＥＺパネル（図４）がオンスクリーン表示されるようになる。
【００４４】
ステップＳ４で録画が開始されたと判断されたら、その番組が録画禁止か否かが判断される（ステップＳ５）。録画禁止か否かは、受信したパケットストリーム中のＰＳＩのＥＭＭ／ＥＣＭにより判断できる。ここで、この番組が録画禁止でなければ、通常のＥＺパネルが消去され（ステップＳ６）、ビデオ記録／再生装置３を録画状態に設定させるための赤外線コマンド信号がＡＶマウス４から出力され（ステップＳ７）、受信している番組のビデオ信号及びオーディオ信号が出力される（ステップＳ８）。
【００４５】
このＡＶマウス４から出力された録画状態に設定させるための赤外線コマンド信号は、ビデオ記録／再生装置３で受光され、このコマンド信号により、ビデオ記録／再生装置３が録画状態に設定される。そして、衛星放送チューナ１から現在受信している番組のビデオ信号及びオーディオ信号がビデオ記録／再生装置３に送られ、このビデオ信号及びオーディオ信号がビデオ記録／再生装置３に装着されたテープ等の記録媒体に記録される。
【００４６】
ステップＳ８で、受信している番組のビデオ信号及びオーディオ信号が録画のために出力されたら、ステップＳ１にリターンされる。録画中になると、ステップＳ１で、録画中であると判断される。このため、ステップＳ２に進み、録画停止ボタン５６Ａを含むＥＺパネル（図４）がオンスクリーン表示されるようになる。
【００４７】
ステップＳ５で、受信番組が録画禁止であると判断されると、録画禁止であることを示す警告（図５）がオンスクリーン表示される（ステップＳ９）。そして、ＡＶマウス４からの赤外線コマンド信号の出力が禁止されて（ステップＳ１０）、ステップＳ１にリターンされる。
【００４８】
このように、この例では、受信番組を録画するときに、ステップＳ５でこの番組が録画禁止か否かが判断され、録画禁止の場合には、ステップＳ９で警告画面が表示されると共に、ステップＳ１０で、外部機器の制御が禁止される。このような警告表示により、ユーザは、録画禁止の番組であるか否かを判断することができると共に、コピー禁止の制御信号を含む信号がビデオ記録／再生装置３で録画されてしまうことが防止できる。
【００４９】
なお、上述の例では、すぐ録画ボタン５６を使ってビデオ記録／再生装置により番組の映像及び音声を録画する場合について説明したが、すぐ録音ボタン５７を使って録音する場合も同様な処理が行われる。
【００５０】
また、上述の例では、ＡＶマウス４により、ビデオ記録／再生装置３を赤外線コマンド信号により制御しているが、例えば、ＩＥＥＥ１３９４のインターフェースを使って制御するようにしても良い。
【００５１】
【発明の効果】
この発明によれば、受信番組を録画するときに、録画禁止か否かが判断され、録画禁止の場合には、警告画面が表示されると共に、外部機器の制御が禁止される。このような警告表示により、ユーザは、録画禁止の番組であるか否かを判断することができると共に、コピー禁止の制御信号を含む信号がビデオ記録／再生装置に記録されてしまうことが防止できる。また、この発明によれば、録画ボタンが押されると、そのボタンが停止ボタンとなり、そこのボタンが選択された状態になる。このため、操作性が向上される。
【図面の簡単な説明】
【図１】この発明が適用できる受信システムの一例のブロック図である。
【図２】この発明が適用された衛星放送チューナの一例のブロック図である。
【図３】この発明が適用された衛星放送チューナにおける表示に説明に用いる略線図である。
【図４】この発明が適用された衛星放送チューナにおける表示に説明に用いる略線図である。
【図５】この発明が適用された衛星放送チューナの説明に用いる略線図である。
【図６】この発明が適用された衛星放送チューナの説明に用いるフローチャートである。
【符号の説明】
１・・・衛星放送チューナ，２・・・テレビジョン受像機，３・・・ビデオ記録／再生装置，４・・・ＡＶマウス，１０・・・リモートコントローラ
【図１】
0004517436.tif 000002
【図２】
0004517436.tif 000003
【図３】
0004517436.tif 000004
【図４】
0004517436.tif 000005
【図５】
0004517436.tif 000006
【図６】
0004517436.tif 000007